(57)【要約】　　　（修正有）【課題】点灯直後の光束立ち上り特性が向上し、水銀の蒸気圧を所望に制御できる電球形蛍光ランプおよび、この電球形蛍光ランプを具備した照明装置を提供する。【解決手段】点灯中水銀蒸気圧を制御する第１のアマルガム６１を封入した細管５１を回路基板２１の口金１１側へ貫通し、カバー体１０内まで延出することで、アマルガム６１の温度が５０〜６０℃に維持されるので、グローブ３０内の蛍光ランプ４０の温度が上昇しても、最適な水銀蒸気圧を所望の圧力に保つことが可能となる。【選択図】図１
2004127526.tif 000002
【特許請求の範囲】
【請求項１】
屈曲形のバルブを有する蛍光ランプと；
一方側に口金が他方側に前記蛍光ランプがそれぞれ取付けられたカバー体と；
前記蛍光ランプを点灯させる点灯回路を構成する複数の電子部品および、この電子部品が実装され、両面に貫通可能な開口が形成された回路基板を有しており、前記カバー体内に収容された点灯装置と；
前記蛍光ランプのバルブ端部に連通するように１本または複数本封着され、少なくとも１本が回路基板に形成された開口から貫通してカバー体の口金側に突出するように設けられた細管と；
カバー体内の口金側および蛍光ランプ側にそれぞれ配置されるように細管内に封入された第１および第２のアマルガムと；
を具備していることを特徴とする電球形蛍光ランプ。
【請求項２】
第１のアマルガムおよび第２のアマルガムは、同一細管内に封入されていることを特徴とする請求項１記載の電球形蛍光ランプ。
【請求項３】
請求項１または２記載の電球形蛍光ランプと；
この電球形蛍光ランプが装着された器具本体と；
を具備していることを特徴とする照明装置。
【発明の詳細な説明】
【０００１】
【発明の属する技術分野】
本発明は、光束立上り特性を改善した電球形蛍光ランプおよび照明装置に関する。
【従来の技術】
近年電球形蛍光ランプは、一般白熱電球に相当する程度にまで小形化され、ランプ技術および点灯回路技術の発展によりランプ効率も向上してきている。しかし、一般白熱電球に類似した外観となる装飾効果をもたせるためにバルブをグローブで覆った形態の電球形蛍光ランプの一層の小形化に伴い、本体表面積が小さくなり、点灯中グローブ内の温度は高温になる傾向にある。このような高温点灯する電球形蛍光ランプのバルブ内に純水銀を封入した場合、バルブ内の水銀蒸気圧が過度に上昇し、光出力が低下する。このため、高温点灯するような電球形蛍光ランプには、インジウム（Ｉｎ）、鉛（Ｐｂ）、鈴（Ｓｎ）、およびビスマス（Ｂｉ）などと水銀（Ｈｇ）との合金であるアマルガムをバルブ内に封入して水銀蒸気圧を制御し、発光効率を向上させている（例えば特許文献１参照）。
【０００２】
一方、アマルガムが使用されたバルブは、点灯開始から所定の光束で出力されるまでに時間がかかり、光束立上り特性が悪いという欠点がある。これは、点灯前のバルブ内の水銀蒸気圧は、アマルガムにより水銀蒸気圧が制御されており、水銀蒸気圧が低下しているため、点灯開始後、バルブの温度が上昇するにしたがって水銀蒸気圧が上昇し、ゆっくりと点灯するためである。この光束立上り特性を改善するために、電極近傍などにインジウム（Ｉｎ）などからなる補助アマルガムを設け、点灯開始直後に必要な水銀をバルブ内に供給し、始動時の光束立上り特性を向上させている（例えば特許文献２参照）。
【特許文献１】
特開２００１−２４３９１３号公報
【特許文献２】
特開平１１−２３３０６５号公報
【発明が解決しようとする課題】
このようなアマルガムと補助アマルガムとの両者を設けた電球形蛍光ランプは消灯中、バルブ内にあった水銀のほとんどが補助アマルガムに吸着される。そして、点灯直後電極近傍の補助アマルガムに吸着された水銀が電極の熱影響を受け放出するが、補助アマルガムの水銀吸着力が強いため、点灯開始から放電路内に拡散し、数分でほぼバルブ内全域にわたり所望の水銀蒸気圧が得られるものの、点灯直後の水銀蒸気圧を速やかに上昇させて所望の明るさを確保することは困難であり、さらなる光束立上り特性の改善が求められている。
【０００３】
本発明は、上記課題に鑑みなされたものであり、点灯直後の光束立ち上り特性が向上し、水銀の蒸気圧を所望に制御できる電球形蛍光ランプおよび、この電球形蛍光ランプを具備した照明装置を提供することを目的とする。
【課題を解決するための手段】
請求項１記載の電球形蛍光ランプは、屈曲形のバルブを有する蛍光ランプと；一方側に口金が他方側に前記蛍光ランプがそれぞれ取付けられたカバー体と；前記蛍光ランプを点灯させる点灯回路を構成する複数の電子部品および、この電子部品が実装され、両面に貫通可能な開口が形成された回路基板を有しており、前記カバー体内に収容された点灯装置と；前記蛍光ランプのバルブ端部に連通するように１本または複数本封着され、少なくとも一本が回路基板に形成された開口から貫通してカバー体の口金側に突出するように設けられた細管と；カバー体内の回路基板よりも口金側および蛍光ランプ側にそれぞれ近接するように配置高さを異ならせて細管内に封入された第１および第２のアマルガムと；を具備していることを特徴とするものである。
【０００４】
細管内に封入されたアマルガムの蛍光ランプ側とは点灯直後蛍光ランプからの熱影響を受けやすい範囲であり、バルブ端部から１５ｍｍ以下であることが望ましい。一方、細管内に封入されたアマルガムのカバー体内の回路基板よりも口金側とは、回路基板の口金により近い比較的温度が低い空間であり、バルブ端部から１５〜６０ｍｍ程度離間していることが望ましい。
【０００５】
光束立上り特性を改善するために、安定点灯時のアマルガム温度を低くすることに着目した。バルブ内に封入したアマルガムは、安定点灯時に最適な水銀蒸気圧に制御するためのものであるため、例えば、ビスマス（Ｂｉ）−インジウム（Ｉｎ）系のアマルガムでは、９０〜１３０℃の高温点灯するものであっても、バルブ内の水銀蒸気圧を最適値に制御することができる。しかし、このようなアマルガムは純水銀よりも水銀蒸気圧が低いため、消灯後周囲温度が２５℃の低温雰囲気で放置した後再点灯した場合、点灯直後の水銀蒸気圧は低く、立上り特性が悪い。
【０００６】
したがって、安定点灯時のアマルガムの温度を低くできればアマルガムによって水銀蒸気圧を過度に制御する必要がなくなり、点灯直後の水銀蒸気圧を高くすることができ、光束立ち上がりを改善することができる。
【０００７】
そこで、電球形蛍光ランプの安定点灯時の各部温度を測定したところ、周囲温度２５℃の無風状態にて口金上向き点灯としたときの各部の温度は、蛍光ランプの電極近傍温度は１５８℃であるのに対し、カバー中央の空間温度（発熱部品の上端が位置する空間温度）は６２℃、回路基板の上面温度は９８℃、口金の内側空間温度は５３℃あった。
【０００８】
このように口金側のカバー体内の空間は比較的温度が低い。これは、カバー内の対流があまり起こっていないためと考えられる。ちなみに、アマルガムが封入された細管の突出長が約１０ｍｍの蛍光ランプを備えた従来例（ショートチップ方式）のアマルガムの温度を測定したところ約９０℃であった。したがって、アマルガムを口金側に配置させた細管内にアマルガムを封入する（ロングチップ方式）ことで、アマルガムの温度を低下させることができる。
【０００９】
そこで、口金側まで延ばした細管内の先端近傍に水銀蒸気圧の高いアマルガムを封入したところ、点灯直後の光束立上り特性が向上し、安定点灯時の発光効率も従来の電球形蛍光ランプとほぼ同等であることがわかった。しかし、従来の電球形蛍光ランプと比較して光束立上り特性が改善されるものの、点灯直後、明るさが低下しうすぼんやりと点灯した状態が続くことがあった。これは、アマルガムを口金側に設けたことによって点灯時にアマルガムから放出された水銀が蛍光ランプ内に拡散されるまでに時間がかかり、蛍光ランプ内が一時的に水銀枯渇状態になるためと考えられる。
【００１０】
したがって、ロングチップ方式では、光束立上り特性を向上させるためには、点灯直後に発光管内に立上がりに必要な水銀量を放電路内に供給する手段を設ける必要がる。従来の電球形蛍光ランプは、その手段として、蛍光ランプの電極近傍に補助アマルガムを設けることで、光束立上り特性を向上させていた。しかし、インジウムなどからなる補助アマルガムは水銀吸着力が強く、補助アマルガムに吸着される水銀量も少ないため、点灯直後の光束立上り特性を向上させるための水銀量としては十分な水銀量ではなかった。
【００１１】
そこで、本発明のように高さ方向が異なるように水銀蒸気圧の高い第１および第２のアマルガムを細管内に封入した。この電球形蛍光ランプは、点灯直後回路基板より蛍光ランプに近い位置に封入された第２のアマルガムが蛍光ランプの熱影響を受けるとともに放電空間に近接していることから素早く水銀を放出し、十分な量の水銀をバルブ内全域に拡散することが可能である。その後所定時間点灯すると、バルブから封入された第１のアマルガムかが温められ、ゆっくりと水銀の放出が始まる。その後安定点灯時には、第１のアマルガムによって、水銀蒸気圧は制御されバルブ内の過剰な水銀を吸着し、最適蒸気圧に制御することが可能となり、最大の発光効率を得ることができる。
【００１２】
蛍光ランプ消灯直後は、温度の低い第１のアマルガムに水銀が多く吸着するが、蛍光ランプ全体の温度が下がるにつれ、第１のアマルガムから第２のアマルガムに徐々に水銀が平衡状態になるよう移動を続ける。再点灯時、光束立上りに必要な水銀が第２のアマルガムに吸着され、光束立上り特性の向上が可能となる。
【００１３】
なお、蛍光ランプのバルブ端部に連通するように封着された細管内に封入された第１および第２のアマルガムは、カバー体内の回路基板よりも口金側および蛍光ランプ側にそれぞれ近接するように配置高さを異なるように封入されていれば、同一の細管内でも異なる細管内にそれぞれが封入されていても構わない。
【００１４】
請求項１記載の電球形蛍光ランプによれば、バルブ端部から延在する少なくとも１本の細管を回路基板の開口から口金側に貫通させて第１のアマルガムを口金側に配置し、第１のアマルガムの点灯中の温度を下げることで消灯中の水銀蒸気圧を高く保つことが可能なアマルガムの使用ができるので、光束立上り特性を改善することが可能となる。
【００１５】
さらに、蛍光ランプ側に配置した第２のアマルガムから点灯直後、水銀が素早く放出されバルブ内全域に拡散されるので、光束立上り特性が一層向上する。
【００１６】
請求項２記載の電球形蛍光ランプは、請求項１記載の電球形蛍光ランプの第１のアマルガムおよび第２のアマルガムは、同一細管内に封入されていることを特徴とするものである。
【００１７】
請求項２記載の電球形蛍光ランプによれば、請求項１記載の作用に加え、複数のバルブ端部に封着された異なる細管内にアマルガムを封入する場合に比べ、同一細管内にアマルガムが封入しているので、消灯後水銀吸着量が多い第１のアマルガムから第２のアマルガムに水銀が移動する距離が短くなり、平衡状態になるまでの時間が短縮される。
【００１８】
請求項３記載の照明装置は、請求項１または２記載の蛍光ランプと；この蛍光ランプが装着された器具本体と；を具備しているものである。
【００１９】
請求項３記載の照明装置によれば、請求項１または２記載の電球形蛍光ランプを備えた照明装置を提供できる。
【発明の実施の形態】
【００２０】
以下、本発明の一実施形態である蛍光ランプを図面を参照して説明する。図１は第一の実施の形態の電球形蛍光ランプを示す一部切欠き断面図である。
【００２１】
図において、この電球形蛍光ランプは、口金１１を有するカバー体１０と、カバー体１０の一部としてカバー体１０の開口部に装着された保持部としてのホルダ１２と、カバー体１０に収納された点灯装置２０と、透光性を有するグローブ３０と、このグローブ３０に収納された複数のバルブ４１からなる蛍光ランプ４０とを備えている。そして、グローブ３０とカバー体１０とから構成される外囲器は、定格電力６０Ｗ形相当の白熱電球などの一般照明用電球の規格寸法に近似する外形に形成されている。
【００２２】
バルブ４１の内面には、アルミナ（Ａｌ２Ｏ３）保護膜（図示しない）とその上に蛍光体層（図示しない）が形成されている。
【００２３】
蛍光ランプ４０は、略同形状の３本のＵ字状屈曲形のバルブ４１を所定の位置に配置し、連通管を介して順次接続することによって、１本の放電路が形成されている。
【００２４】
３本のバルブ４１は、バルブ４１の直線部が円周上に位置するように配設して３つの屈曲部が三角形状をなすトリプルＵ形に構成されている。なお、バルブ４１を４本使用して屈曲部が四角形状をなすように構成してもよい。
【００２５】
各バルブ４１は、管外径が９．０〜１３ｍｍ例えば１１ｍｍ、肉厚が０．５〜１．５ｍｍ例えば約０．８ｍｍの無鉛ガラス製で、１１０〜１３０ｍｍ程度の直管ガラスの中間部を滑らかに湾曲するように屈曲形成したものであり、屈曲部を備えた略Ｕ字状に形成されている。蛍光ランプ４０は、放電路長が２５０〜５００ｍｍ、ランプ入力電力が７〜２５Ｗとして設計することで、白熱電球形状に近似した電球形蛍光ランプを構成することが可能となる。
【００２６】
バルブ４１は、ピンチシール部などにより、一端部が封着されているとともに、他端部には内径２〜５ｍｍの細管５１、５２がピンチシールによって封着されている。
【００２７】
蛍光ランプ４０の両側に位置するバルブ４１の非連通管側の一端部には、図示しない電極としてのフィラメントコイルが、一対のウエルズに支持されて配置されている。一対のウエルズは、両端のバルブ４１の端部にマウントを用いないピンチシールなどにより封着された図示しないジュメット線を介して、バルブ４１の外部に導出されたランプ側ワイヤーに接続されている。そして、蛍光ランプ４０から導出された２対すなわち４本のランプ側ワイヤーは、点灯装置上に図示しない植設されたラッピングピンに電気的に接続されている。
【００２８】
中間に位置する屈曲バルブ４１の電極が封装されないバルブ４１端部から１５ｍｍ程度突設するよう封着された細管５１内には、第２のアマルガム６２が封入されている。さらに、電極が封装されていないバルブ４１の端部からは６０ｍｍ程度突設し、その先端がカバー体１０内の口金１１側に位置するように細管５１が封装され、その先端には、第１のアマルガム６１溶着されている。
【００２９】
なお、第１のアマルガム６１が封入された細管５１の突出長は１５〜７０ｍｍの長さとするのが好ましい。
【００３０】
細管５１、５２内に封入された第１および第２のアマルガム６１、６２は、バルブ４１内の水銀蒸気圧を所望の圧力に保つため、ビスマス（Ｂｉ）が５０〜６５質量％、錫（Ｓｎ）が３５〜５０質量％からなる合金を基体とし、この合金に対して水銀を１２〜２５質量％含有させたものである。
【００３１】
そして、蛍光ランプ４０には、封入ガス比率が９９％以上のアルゴンガスが封入圧力２００〜７００Ｐａで封入される。
【００３２】
そして、カバー体１０は、ポリブチレンテレフタレート（ＰＢＴ）などの耐熱性合成樹脂などにて形成されている。そして、このカバー体１０は、下方に拡開する略筒状をなし、上方には、Ｅ２６形などの口金１１が被せられる筒部を有し、接着剤またはかしめなどにより固定されている。
【００３３】
点灯装置２０は、水平状、すなわち蛍光ランプの長手方向と垂直に配置される円板状の回路基板２１を備え、この回路基板２１の両面すなわち口金１１側および蛍光ランプ４０側に、複数の部品２２（電気部品）が実装されて、高周波点灯を行なうインバータ回路（高周波点灯回路）が構成されている。
【００３４】
回路基板２１には、直径約６ｍｍの円形状の開口２３が形成されており、この開口２３を介して細管５２先端部が口金１１側まで延在している。
【００３５】
なお、回路基板２１に形成された開口２３の形状は、バルブ４１端部に封着され、先端が口金１１まで延在する細管５１が貫通可能であれば、形状などは特に限定されない。
【００３６】
回路基板２１の口金１１側の一面には、平滑用電解コンデンサや、インダクタ、トランス、抵抗やフィルムコンデンサなどからなる電子部品の大部分が実装されている。回路基板の蛍光ランプ側の他面には、電界効果形トランジスタ（ＦＥＴ）や整流ダイオード（ＲＥＣ）、チップ抵抗など、比較的耐熱温度が高い小形電子素子（図示しない）が実装されている。平滑用電解コンデンサは、電界効果形トランジスタ、トランス、限流インダクタ、抵抗、共振コンデンサなどの発熱量が比較的多い電子部品よりもその先端部が口金１１側に突出している。アマルガム６１は、電解コンデンサを除く電子部品２２よりも口金１１側である電解コンデンサに隣接して位置するように細管５１内に収容されている。
【００３７】
また、グローブ３０は、透明あるいは光拡散性を有する乳白色などで、ガラスあるいは合成樹脂により、定格電力６０Ｗ形相当の一般照明用電球のガラス球とほぼ同一形状の滑らかな曲面状に形成されているとともに、開口部の縁部には、カバー体１０の下端の開口部の内側に嵌合する嵌合縁部が形成されている。なお、このグローブ３０は、拡散膜などの別部材を組み合わせ、輝度の均一性を向上することもできる。
【００３８】
本実施形態の電球形蛍光ランプは、入力電力定格１２Ｗで、蛍光ランプ４９には、１０．５Ｗの電力の高周波で加わり、ランプ電流は１９０ｍＡ、ランプ電圧は５８Ｖとなり、蛍光ランプ４０からの光出力により全光束が約８１０ｌｍとなっている。
【００３９】
以下、口金１１側を上側グローブ側を下側、として電球形蛍光ランプの組立工程方法を説明する。
【００４０】
まず、上述の各屈曲バルブ４１端部がホルダ１２の各取付孔に挿入された状態でバルブ４１端部がシリコーン樹脂などの接着剤により固定されたホルダ１２を用意する。次に、バルブ４１端部から突出するよう封着された細管５１を回路基板２１の開口２３に挿通させながら回路基板２１をホルダ１２の蛍光ランプ４０非装着側の周縁に係合するように取付ける。その後、ホルダ１２側壁に形成された図示しないＶ溝に図示しないランプ側ワイヤーを差し込むことで仮保持されていたワイヤーを回路基板２１上に植設された図示しないラッピングピンに巻き付けることで両者が接続される。
【００４１】
さらに回路基板２１から導出されたリード線（図示しない）は、電解コンデンサとカバー体１０開口との隙間に配線され、最後に口金１１およびグローブ３０を取付け電球形蛍光ランプは完成する。
【００４２】
上記のように組み立てられた電球形蛍光ランプは、口金１１を介して点灯装置２０に給電されると、点灯装置２０が作動して高周波電圧をバルブ４１内部の電極間に印加し、電球形蛍光ランプが点灯する。
【００４３】
そして点灯直後、放電路に近接するよう細管５２内に封入された第２のアマルガム６１は、蛍光ランプ４０の熱影響を受けて昇温し、素早く水銀を放出し、バルブ４１内全域に拡散する。その後一定時間点灯すると、蛍光ランプ４０から離間され、カバー体１０の口金１１近傍まで延出された細管５１内に封入された第１のアマルガム６１が徐々に温まり、細く長い細管５１内を通り、ゆっくりと水銀の放出が始まる。そして安定点灯時には、回路基板２１によって蛍光ランプ４０からの熱が遮蔽されるので、第２のアマルガム６２よりも第１のアマルガム６１の方が温度が低くなるので、周囲温度が比較的低いカバー体１０内空間に配置された第１のアマルガム６１によって、バルブ４１内の水銀蒸気圧は適正値に制御され、バルブ４１内の過剰な水銀を吸着し、最適蒸気圧に制御する。
【００４４】
また、蛍光ランプ５０消灯直後は、バルブ４１から離間され、温度低下の早い第１のアマルガム６１に水銀が多く吸着されるが、蛍光ランプ４０全体の温度が下がるにつれ、第１のアマルガム６１から第２のアマルガム６２に徐々に水銀が平衡状態になるよう移動を続ける。
【００４５】
以上のような電球形蛍光ランプによると、蛍光ランプ４０がグローブ３０に覆われた高温点灯する蛍光ランプ４０であっても、点灯中水銀蒸気圧を制御する第１のアマルガム６１を封入した細管５１を回路基板２１の口金１１側へ貫通し、カバー体１０内まで延出することで、アマルガム６１の温度が５０〜６０℃に維持されるので、グローブ３０内の蛍光ランプ４０の温度が上昇しても、最適な水銀蒸気圧を所望の圧力に保つことが可能となる。さらに、点灯中アマルガム６１の温度を一定に保つことができるので、比較的水銀蒸気圧の高いアマルガム６１、６２の使用が可能となり、消灯中のバルブ４１内の水銀蒸気圧を比較的高い状態にできるので再点灯時の光束立上り特性も向上する。
【００４６】
さらに、放電路近傍に水銀蒸気圧の高い第２アマルガム６２を配置することで、点灯直後の熱影響により第２のアマルガム６２から、放電路内へ水銀を速やかに拡散することができ、一層光束立上り特性を向上することが可能となる。
【００４７】
なお、本実施の形態において点灯直後の水銀蒸気拡散を補うための、補助アマルガムは使用していないが、補助アマルガムをバルブ内に配置していても構わない。
【００４８】
次に本発明の第２の実施形態である電球形蛍光ランプを図面を参照して説明する。
【００４９】
図２は第２の本実施形態の電球形蛍光ランプの断面図である。
なお、カバー体１０内の口金１１近傍まで延出した同一の細管５１内に第１および第２のアマルガム６１、６２を封入していることを除いて第１の実施形態と同一である。なお、第１の実施形態と同一構成については同一符号を付し、重複する説明については省略する。
【００５０】
略同形状の３本のＵ字状屈曲形のバルブ４１を所定の位置に配置し、連通管を介して順次接続することによって、１本の放電路が形成された蛍光ランプ４０を用意する。
【００５１】
両端に位置する屈曲バルブ４１の電極が封装されないバルブ４１端部には、その先端がカバー体１０内の口金１１側に位置するよう６０ｍｍ程度の長さで中間部が屈曲した細管５１が１本封着されている。
【００５２】
なお、中間部が屈曲した細管５１の屈曲部は、その形成工程において、アマルガム６１、６２径よりも縮径された径になるよう形成され、同一細管５１内封入されたアマルガム６１、６２の移動を抑制している。
【００５３】
蛍光ランプ４０製造工程において使用され、アマルガム６１、６２が封入されない残りの細管は、バルブ４１端部を閉塞後ピンチシール部から切断されている。
【００５４】
アマルガム６１、６２封入用の細管５１内先端には、第１のアマルガム６１が封入され、第１のアマルガム６１が封入された同一細管６１内の放電路近傍には、第２のアマルガム６２が封入されている。
【００５５】
なお、第１および第２のアマルガム６１、６２の移動を抑制するための抑制手段は、細管５１に凹部を形成しても、むく棒などを用いても、それぞれのアマルガム６１、６２が細管５１内を移動することを抑制可能であれば、その方法は限定しない。
【００５６】
このように、第１のアマルガム６１および第２のアマルガム６２を同一細管６１内に封入することで、複数のバルブ４１端部に封着された異なる細管内にアマルガムが封入された電球形蛍光ランプに比べ、消灯後水銀吸着量が多い第１のアマルガム６１から第２のアマルガム６２に水銀が移動する距離が短くなり、平衡状態になるまでの時間が短縮される。そのため、消灯後比較的時間を置かずに再点灯しても放電路近傍にある第２のアマルガム６２に素早く水銀が移動するので立上り特性が向上する。
【００５７】
また、複数のバルブ４１端部に封着された細管のうち、アマルガム６１、６２が封入している細管５１を除いた全ての細管は、バルブ４１端部を閉塞した後、ピンチシール部で切断されているため、バルブ４１端部から回路基板２１との距離を一層短縮化することが可能となり、電球形蛍光ランプ全長の小形化が図れる。また、第１の実施形態の電球形蛍光ランプと同様の効果である点灯直後の光束立上り特性の向上および安定点灯時の最大の発光効率を得ることができる。
【００５８】
次に本発明の１実施形態である照明器具を図３を用いて説明する。図３は本発明の照明器具の１実施形態を示す断面概略図である。図において３２は電球形蛍光ランプ、３１は埋め込み形照明器具本体である。器具本体３１は、基体３３と反射板３４などより構成されている。
【発明の効果】
請求項１記載の電球形蛍光ランプによれば、バルブ端部から延在する少なくとも１本の細管を回路基板の開口から口金側に貫通させて第１のアマルガムを口金側に配置し、第１のアマルガムの点灯中の温度を下げることで消灯中の水銀蒸気圧を高く保つことが可能なアマルガムの使用ができるので、光束立上り特性を改善することが可能となる。
【００５９】
さらに、蛍光ランプ側に配置した第２のアマルガムから点灯直後、水銀が素早く放出されバルブ内全域に拡散されるので、光束立上り特性が一層向上する。
【００６０】
請求項２記載の電球形蛍光ランプによれば、請求項１記載の作用に加え、複数のバルブ端部に封着された異なる細管内にアマルガムを封入する場合に比べ、同一細管内にアマルガムが封入しているので、消灯後水銀吸着量が多い第１のアマルガムから第２のアマルガムに水銀が移動する距離が短くなり、平衡状態になるまでの時間が短縮される。
【００６１】
請求項３記載の電球形蛍光ランプによれば、請求項１または２記載の電球形蛍光ランプを備えた照明装置を提供できる。
【図面の簡単な説明】
【図１】第１の実施形態の電球形蛍光ランプの一部切欠断面図。
【図２】第２の実施形態の電球形蛍光ランプの断面図。
【図３】本実施の形態照明器具の１実施形態を示す側面一部断面図。
【符号の説明】
１…カバー、２…グローブ、３…蛍光ランプ、４…点灯装置、
５…アマルガム、６…ホルダ
【図１】
2004127526.tif 000003
【図２】
2004127526.tif 000004
【図３】
2004127526.tif 000005